(57)【要約】【課題】  構造が簡素な照明装置を提供する。【解決手段】  一対の照明器具８が対向する方向に沿って互いに平行に配置され、捩れ方向が異なる第１の雄ねじ部４ａと第２の雄ねじ部４ｂとを同軸的に有する一対のねじ軸４、４と、一対のねじ軸４を軸線方向に移動不能かつ軸線回りに回転可能に支持するねじ軸支持手段３と、一方の照明器具８を支持し、かつ一対のねじ軸４のそれぞれの第１の雄ねじ部４ａがねじ込まれる第１の雌ねじ部１３ａを有する第１の照明支持台５と、他方の照明器具８を支持し、かつ一対のねじ軸４のそれぞれの第２の雄ねじ部４ｂがねじ込まれる第２の雌ねじ部２２ａを有する第２の照明支持台６と、一対のねじ軸４の回転に伴って照明支持台５、６が接近又は離間するようにねじ軸４の回転を連動させる連動手段７とを備える。【選択図】      図１
2005181249.tif 000002
【特許請求の範囲】
【請求項１】
搬送経路を挟むように対向配置された一対の照明器具により前記搬送経路上の容器を照明する照明装置において、
前記一対の照明器具が対向する方向に沿って互いに平行に配置され、第１の雄ねじ部と、該第１の雄ねじ部に対して捩れ方向が異なる第２の雄ねじ部とが同軸的に設けられた一対のねじ軸と、
前記一対のねじ軸を軸線方向に移動不能かつ軸線回りに回転可能に支持するねじ軸支持手段と、
前記一対の照明器具のうちいずれか一方の照明器具を支持し、かつ前記一対のねじ軸のそれぞれの前記第１の雄ねじ部がねじ込まれる第１の雌ねじ部を有する第１の照明支持台と、
前記一対の照明器具のうちいずれか他方の照明器具を支持し、かつ前記一対のねじ軸のそれぞれの前記第２の雄ねじ部がねじ込まれる第２の雌ねじ部を有する第２の照明支持台と、
前記一対のねじ軸の回転に伴って前記第１及び第２の照明支持台が前記ねじ軸の軸線方向に接近又は離間するように前記一対のねじ軸の回転を連動させる連動手段と、
を備えたことを特徴とする照明装置。
【請求項２】
前記照明器具が前記搬送経路上の所定位置に配置された容器を取り囲むように湾曲し、前記一対のねじ軸は前記所定位置を挟んで前記搬送方向に対称的に配置されていることを特徴とする請求項１に記載の照明装置。
【請求項３】
前記第１の雄ねじ部と前記第２の雄ねじ部との間でピッチ及びねじ径が互いに一致していることを特徴とする請求項２に記載の照明装置。
【請求項４】
前記一対のねじ軸のそれぞれの雄ねじ部を前記雌ねじ部によって半径方向に締め付けるクランプ機構が設けられていることを特徴とする請求項１〜３のいずれか一項に記載の照明装置。
【発明の詳細な説明】
【技術分野】
【０００１】
本発明は、容器内の異物の有無を検査する異物検査装置等に使用される照明装置に関する。
【背景技術】
【０００２】
容器の検査装置に組み込まれる照明装置として、互いに平行な一対の案内軸上に一対の照明支持台を互いに接近及び離間可能に設置し、それらの照明支持台上に一対の照明器具を取り付けるとともに、それらの照明支持台に案内軸と平行でかつ互いに逆方向に捩れたねじ軸をねじ込んで各ねじ軸を同軸的に連結した照明装置が知られている。この照明装置では、ねじ軸を回転させると照明支持台が互いに接近又は離間するため、照明器具の間隔を検査対象の容器の大きさに応じて適宜に変化させることができる。
【発明の開示】
【発明が解決しようとする課題】
【０００３】
従来の照明装置は一対の案内軸とねじ軸とを必要としているので構造が複雑である。また、容器の下方には検査用の撮影光学系等の構造物が配置されることがあるため、照明装置の案内軸及びねじ軸は容器の直下を避けて配置する必要がある。しかし、照明装置の設置スペースに限度があり、限られた範囲にこれらの軸を並べるためには各軸の位置及び直径に制約が生じる。一方、検査装置においては、容器の破損や転倒によって容器が照明器具に衝突することがある。このような衝突が生じた場合、案内軸がずれたり変形し、さらには単一のねじ軸に曲げ荷重が集中的に作用してねじ軸が曲げられるおそれがある。特に、ねじ軸の直径が十分でないとそのおそれがさらに高まる。
【０００４】
そこで、本発明は、簡素でかつ容器の衝突等に耐え得る強度の確保にも適した構造の照明装置を提供することを目的とする。
【課題を解決するための手段】
【０００５】
以下、本発明について説明する。なお、本発明の理解を容易にするために添付図面の参照符号を括弧書きにて付記するが、それにより本発明が図示の形態に限定されるものではない。
【０００６】
本発明の照明装置は、搬送経路を挟むように対向配置された一対の照明器具（８、８）により前記搬送経路上の容器（２）を照明する照明装置（１）において、前記一対の照明器具が対向する方向に沿って互いに平行に配置され、第１の雄ねじ部（４ａ）と、該第１の雄ねじ部に対して捩れ方向が異なる第２の雄ねじ部（４ｂ）とが同軸的に設けられた一対のねじ軸（４、４）と、前記一対のねじ軸を軸線方向に移動不能かつ軸線回りに回転可能に支持するねじ軸支持手段（３）と、前記一対の照明器具のうちいずれか一方の照明器具を支持し、かつ前記一対のねじ軸のそれぞれの前記第１の雄ねじ部がねじ込まれる第１の雌ねじ部（１３ａ）を有する第１の照明支持台（５）と、前記一対の照明器具のうちいずれか他方の照明器具を支持し、かつ前記一対のねじ軸のそれぞれの前記第２の雄ねじ部がねじ込まれる第２の雌ねじ部（２２ａ）を有する第２の照明支持台（６）と、前記一対のねじ軸の回転に伴って前記第１及び第２の照明支持台が前記ねじ軸の軸線方向に接近又は離間するように前記一対のねじ軸の回転を連動させる連動手段（７）と、を備えたことにより、上述した課題を解決する。
【０００７】
本発明の照明装置においては、連動手段によって一対のねじ軸を連動して回転させた場合、第１及び第２の雄ねじ部のそれぞれの捩れ方向が相違するために照明支持台が互いに接近又は離間して照明器具同士の間隔が調整される。照明支持台を一対のねじ軸に支持させたので従来の照明装置のように案内軸とねじ軸とをそれぞれ別に設ける必要がなくなり、軸本数を減少させて構造を簡素化することができる。軸本数の減少により、スペースに余裕が生じるので、ねじ軸の直径を拡大してこれらに十分な剛性を与えることができる。しかも、照明器具に作用する衝撃荷重を一対のねじ軸で分散して受けることができる。従って、容器の衝突に対する強度が高まる。
【０００８】
本発明の照明装置は、前記照明器具が前記搬送経路上の所定位置に配置された容器を取り囲むように湾曲し、前記一対のねじ軸は前記所定位置を挟んで前記搬送方向に対称的に配置されていてもよい。この場合、照明器具に囲まれた所定位置の容器を中心として一対のねじ軸が搬送方向に対称的に配置されるから、所定位置の容器を中心とした照明器具の動作及び支持の対称性を確保することができる。
【０００９】
本発明の照明装置において、前記第１の雄ねじ部と前記第２の雄ねじ部との間でピッチ及びねじ径が互いに一致していてもよい。この場合、ねじ軸の回転により一対の照明支持台が搬送経路上の所定位置を挟んで前後に対称的に接近又は離間する。第１の雄ねじ部と第２の雄ねじ部とのねじ径が一致しているので、いずれか一方の雄ねじ部への荷重の集中を避けて第１の雄ねじ部及び第２の雄ねじ部の両者で均等に荷重を受けることができる。
【００１０】
本発明の照明装置において、前記一対のねじ軸のそれぞれの雄ねじ部を前記雌ねじ部によって半径方向に締め付けるクランプ機構（１９、２３）が設けられていてもよい。この場合、クランプ機構によって各照明支持台をねじ軸上に強固に固定できるので、容器の衝突時等の荷重に対する強度をさらに高めることができる。
【発明の効果】
【００１１】
本発明によれば、照明支持台を一対のねじ軸に支持させているので軸本数を減少させて構造を簡素化でき、一対のねじ軸のそれぞれの直径を拡大して十分な剛性を与え、照明器具に作用する衝撃荷重をこれらのねじ軸で分散して受けることにより、容器の衝突に対する強度を大いに高めることができる。
【発明を実施するための最良の形態】
【００１２】
本発明の一実施形態に係る照明装置を図１〜図６を参照しながら説明する。図１は、本発明の照明装置の平面図を示している。図２は照明装置を図１の下側から見た場合の図を、図３は図１のIII−III線における断面を図１の下側から見た場合の図を、図４は図１のIV−IV線における断面を図１の下側から見た場合の図を、それぞれ示している。また、図５は照明装置を図１の右側から見た場合の図を、図６は図１のVI−VI線における断面を図１の右側から見た場合の図を、それぞれ示している。
【００１３】
図１の照明装置１は、例えばスターホイール等によってボトル（容器）２を所定の搬送経路に沿って搬送しつつ、検査位置ＤＡでボトル２内の異物を検査する異物検査装置等に取り付けられる。照明装置１は、ねじ軸支持手段としてのフレーム３と、一対のねじ軸４と、ボトル２の搬送経路の外周側に配置される第１の照明支持台５と、ボトル２の搬送経路の内周側に配置される第２の照明支持台６と、連動手段としての回転伝達機構７と、各照明支持台５、６に支持され、検査位置ＤＡのボトル２を取り囲むように湾曲した一対の照明８とを備えている。なお、照明８はそれぞれ電源コード８ａで不図示の電源と接続されている。
【００１４】
図１に示したように、フレーム３は、搬送経路を挟んで互いに平行に配置された一対の軸支持板３ａ、３ｂと、これらの軸支持板３ａ、３ｂを連結する接続板３ｃ、３ｄとによって概略方形状に形成されている。接続板３ｃ、３ｄには、フレーム３を異物検査装置等に取り付けるためねじ穴３ｅが設けられている。
【００１５】
図６に示したように、ねじ軸４は、第１の雄ねじ部４ａと、第１の雄ねじ部４ａに対して捩れ方向が異なる第２の雄ねじ部４ｂとを備えている。なお、第１の雄ねじ部４ａと第２の雄ねじ部４ｂとのピッチ及びねじ径は互いに一致している。また、ねじ軸４には、ねじ軸４をその軸線の回りに回転させるためのハンドル４ｃが設けられている。図１に示したように、ねじ軸４は照明８が対向する方向に沿って互いに平行に、かつ検査位置ＤＡを挟んで対称に配置される。また、各ねじ軸４は、軸支持板３ａ、３ｂにそれぞれ設けられた軸孔３ｆによって軸線回りに回転可能に、かつねじ軸４に取り付けられたスプロケット３０と位置固定リング５０（図５も参照）とによって軸線方向には移動不能なようにフレーム３に支持されている。
【００１６】
図３に示したように、第１の照明支持台５は、ベース１０と、一方の照明８を支持するステージ１１と、ベース１０とステージ１１とを接続するとともにステージ１１の高さを調整する高さ調整機構１２と、ベース１０に取り付けられ、第１の雄ねじ部４ａがねじ込まれる第１の雌ねじ部１３ａを有する支持脚１３とを備えている。高さ調整機構１２は、ステージ１１の下部に設けられたプレート１４に左右へ回転可能でかつプレート１４に対して軸線方向に移動不能に取り付けられる高さ調整軸１５と、ベース１０に取り付けられるガイド筒１６と、ステージ１１に取り付けられるとともに各ガイド筒１６に挿入され、ステージ１１を上下方向へ案内するガイド軸１７と、ガイド軸１７の軸線方向への移動を不能にするクランプ機構１８とを備えている。クランプ機構１８は、クランプレバー１８ｂを回してボルト１８ａを締めることによってガイド軸１７を左右から締め付ける。高さ調整軸１５の雄ねじ部１５ａは、ベース１０に設けられた雌ねじ１０ａと噛み合っている。そのため、高さ調整軸１５を左右に回すことでベース１０に対するステージ１１の高さを調整することができる。
【００１７】
支持脚１３には、第１の雌ねじ部１３ａを上下に分割するすり割り溝１３ｂと、ねじ穴１３ｃに取り付けられたボルト１３ｄのクランプレバー１３ｅを回してボルト１３ｄを締めて第１の雌ねじ部１３ａを収縮させ、第１の雌ねじ部１３ａによって第１の雄ねじ部４ａを半径方向に締め付けるクランプ機構１９とが設けられている。
【００１８】
図４に示したように第２の照明支持台６は、ベース２０と、ベース２０の上部に設けられるとともに他方の照明８を支持するステージ２１と、ベース２０に取り付けられ、第２の雄ねじ部４ｂがねじ込まれる第２の雌ねじ部２２ａを有する支持脚２２とを備えている。支持脚２２には、第２の雌ねじ部２２ａを上下に分割するすり割り溝２２ｂと、ねじ穴２２ｃに取り付けられたボルト２２ｄのクランプレバー２２ｅを回してボルト２２ｄを締めて第２の雌ねじ部２２ａを収縮させ、第２の雌ねじ部２２ａによって第２の雄ねじ部４ｂを締め付けるクランプ機構２３とが設けられている。
【００１９】
回転伝達機構７は、ねじ軸４とともに回転するように各ねじ軸４に取り付けられるスプロケット３０と、スプロケット３０に巻き掛けられるチェーン３１と、軸支持板３ａに取り付けられてチェーン３１の弛みを調整するアイドラースプロケット３２とを備えている。
【００２０】
次に照明装置１における照明８の位置調整方法を説明する。なお、照明８を移動する位置はボトル２の直径によって決定される。まず、各支持脚１３、２２のボルト１３ｄ、２２ｄを緩め、クランプ機構１９、２３によるねじ軸４の締め付けを解除する。次に、どちらか一方のハンドル４ｃを回してねじ軸４を連動して回転させ、ボトル２の直径に応じた適正位置に照明８が配置されるように第１及び第２の照明支持台５、６を移動させる。第１の雄ねじ部４ａと第２の雄ねじ部４ｂとは捩れ方向が互いに異なる。例えば第１の雄ねじ部４ａが右ねじであれば、第２の雄ねじ部４ｂは左ねじになる。このため、ねじ軸４を回転させて第１の照明支持台５と第２の照明支持台６とをねじ軸４の軸線方向へ接近又は離間させることができる。照明支持台５、６を適正位置まで移動させた後、ボルト１３ｄ、２２ｄを締めて第１及び第２の雌ねじ部１３ａ、２２ａを収縮させ、クランプ機構１９、２３によってねじ軸４をクランプする。
【００２１】
以上の照明装置１において、ねじ軸４は照明装置１の中心線ＣＬを挟んで対称に配置されているので、第１の照明支持台５と第２の照明支持台６とを接近又は離間させる場合に、ねじ軸４、４から中心線ＣＬを中心に対称的に各照明支持台５、６へ推力を伝達することができる。また、中心線ＣＬに関して左右対称に照明支持台５、６を支持することができる。さらに、第１の雄ねじ部４ａと第２の雄ねじ部４ｂとのピッチが一致しているので、照明支持台５、６をそれぞれ同じ距離ずつ接近又は離間させることができる。そして、雄ねじ部４ａ、４ｂのねじ径が互いに等しいので、いずれか一方の雄ねじ部への荷重の集中を避けて第１の雄ねじ部４ａ及び第２の雄ねじ部４ｂの両者で均等に荷重を受けることができる。
【００２２】
なお、第１の照明支持台に支持された照明８の高さを変更する場合は、高さ調整機構１２によって高さを調整する。この場合は、まずクランプレバー１８ｂを回してボルト１８ａを緩めてクランプ機構１８によるガイド軸１７の締め付けを解除する。これにより、ガイド軸１７が上下動可能な状態に、すなわちステージ１１が上下動可能な状態になる。次に、高さ調整軸１５を左右に回してステージ１１の高さを変更する。高さ変更後は、クランプレバー１８ｂを回してボルト１８ａを締めてクランプ機構１８によりガイド軸１７を締め付け、ステージ１１の位置を固定する。
【００２３】
本発明の照明装置１では、第１の照明支持台５及び第２の照明支持台６とをねじ軸４にて支持しており、これらのねじ軸４とは別に照明支持台５、６を支持する軸は設けられていない。従って、ねじ軸４の直径を拡大してこれらに十分な剛性を与えることができる。しかも、照明８や照明支持台５、６にボトル２が衝突した場合に作用する衝撃荷重をねじ軸４によって分散して受けることができる。また、各支持脚１３、２２のクランプ機構１９、２３によって各照明支持台５、６をねじ軸４上に強固に固定できるので、ボトル２の衝突時等の荷重に対する強度をさらに高めることができる。
【００２４】
本発明は、上述した実施形態に限定されることなく、種々の形態にて実施してよい。例えば、回転伝達機構は、チェーンに限定されない。ギヤ列やベルトを使用して回転を伝達してもよい。ねじ軸に設けられる第１の雄ねじ部と第２の雄ねじ部のピッチ及びねじ径はそれぞれ異なっていてもよい。
【００２５】
また、一方のねじ軸の第１の雄ねじ部と他方のねじ軸の第１の雄ねじ部との捩れ方向が互いに異なるようにそれぞれの雄ねじ部が形成されていてもよい。この場合、一方のねじ軸の第１の雄ねじ部と他方のねじ軸の第２の雄ねじ部との捩れ方向が同じになり、一方のねじ軸の第２の雄ねじ部と他方のねじ軸の第１の雄ねじ部との捩れ方向が同じになる。このように各雄ねじ部の捩れ方向を形成した場合、第１の照明支持台と第２の照明支持台とを接近又は離間させるために、一方のねじ軸と他方のねじ軸とが互いに逆方向へ連動して回転するように回転伝達機構が設けられる。
【図面の簡単な説明】
【００２６】
【図１】本発明の一実施形態に係る照明装置の平面図。
【図２】照明装置を図１の下側から見た図。
【図３】図１のIII−III線における断面を示す図。
【図４】図１のIV−IV線における断面を示す図。
【図５】照明装置を図１の右側から見た図。
【図６】図１のVI−VI線における断面を示す図。
【符号の説明】
【００２７】
１  照明装置
２  容器
３  フレーム（ねじ軸支持手段）
４  ねじ軸
４ａ  第１の雄ねじ部
４ｂ  第２の雄ねじ部
５  第１の照明支持台
６  第２の照明支持台
７  回転伝達機構（連動手段）
８  照明（照明器具）
１３ａ  第１の雌ねじ部
１９  クランプ機構
２２ａ  第２の雌ねじ部
２３  クランプ機構
【図１】
2005181249.tif 000003
【図２】
2005181249.tif 000004
【図３】
2005181249.tif 000005
【図４】
2005181249.tif 000006
【図５】
2005181249.tif 000007
【図６】
2005181249.tif 000008